(57)【要約】【課題】指の表面に補強紐などの突出部が接触することを回避することで、指に馴染みやすく、しかも指の形状に合わせて湾曲し易いフィット感の良好な状態で装着することができる野球用グラブを提供する点にある。【解決手段】捕球面を構成する表面部材とこの表面部材の反対側に位置する背面部材２とを備えた野球用グラブにおいて、背面部材２を構成する複数の指袋のうちの少なくとも１つの指袋６を、指の背面に接触可能な内側部分６Ａと、内側部分６Ａの指袋の併設方向両側に縫着されて連結されると共に指の左右両側面に接触可能な両側部分６Ｂとから野球用グラブを構成した。【選択図】    図１
2004236731.tif 000002
【特許請求の範囲】
【請求項１】
捕球面を構成する表面部材とこの表面部材の反対側に位置する背面部材とを備えた野球用グラブにおいて、前記背面部材を構成する複数の指袋のうちの少なくとも１つの指袋を、指の背面に接触可能な内側部分と、この内側部分の指袋の併設方向両側に縫着されて連結されると共に指の左右両側面に接触可能な両側部分とから構成してなる野球用グラブ。
【請求項２】
前記両側部分が、指袋の先端を構成する本体部と、この本体部の左右両側から端部側ほど互いに離間するほぼハの字状に延びる左右の延出部とからなるほぼ偏平で二股状に構成されたものでなり、前記左右の延出部の遊端部同士を接近させることによりほぼ環状になった前記両側部分をそれの内周縁側ほど前記内側部分側に位置した湾曲形状に変形させて該内側部分に縫着してなる請求項１記載の野球用グラブ。
【請求項３】
前記両側部分が、前記本体部の左右方向ほぼ中心部で２分割された２つの部材からなっている請求項２記載の野球用グラブ。
【請求項４】
前記内側部分の前記両側部分と縫着する縁部を除いた中央部分に該縁部よりも上方に突出する突出部を備えさせ、前記内側部分の縁部を前記両側部分の裏面側に重ね合わせて縫着してなる請求項１又は２記載の野球用グラブ。
【請求項５】
前記両側部分と前記内側部分とを補強紐を介して縫着することにより該両部分を連結してなる請求項１又は２記載の野球用グラブ。
【請求項６】
前記指袋が、親指袋、人差し指袋、中指袋、薬指袋、小指袋からなり、少なくとも人差し指袋、中指袋、薬指袋を、前記内側部分と両側部分とから構成してなる請求項１〜５のいずれかに記載の野球用グラブ。
【発明の詳細な説明】
【０００１】
【発明の属する技術分野】
本発明は、指に馴染みやすく、フィット感の良好な指袋を備えた野球用グラブに関する。
【０００２】
【従来の技術】
上記野球用グラブは、捕球面を構成する表面部材とこの表面部材の反対側に位置する背面部材とを備え、前記背面部材を構成する各指袋を、皮革などからなる左右２枚の偏平な部材を所定の細い左右幅を有する補強紐を介して縫い合わせることにより仕上げたものが知られている（例えば、特許文献１参照）。
【０００３】
【特許文献１】
特許第２９５０３１９号公報（図２、図４）
【０００４】
【発明が解決しようとする課題】
上記特許文献の野球用グラブによれば、左右２枚の偏平な部材を確実に縫い合わせることができるように補強紐がそれらの偏平な部材の厚みよりも厚く構成されているものであるため、指袋の併設方向（左右方向）ほぼ中央に位置する補強紐が指袋の内側に突出した状態になってしまう。そのため、その指袋の内部に挿入した指の爪側の表面に接触する状態になり、手入れ感が悪く（違和感があり）、グラブに馴染むまで多くの時間がかかってしまい、改善の余地があった。尚、前記構成の指袋の内面側に薄いシート部材にて内張を形成することによって、補強紐が直接指の爪側の表面に接触することがないものの、特にボールの捕球時にシート部材を介して補強紐の感触が伝わり、快適に使用できるものとは言えないものであった。
また、偏平な２枚の部材を縫い合わせるだけでは、指袋が偏平な形状のままであるため、挿入する各指の外形、つまり断面形状がほぼ楕円形の指に沿わせて（合わせて）湾曲させて、指を良好に入れることができる空間を有した指袋とすることができず、指をスムーズに指袋に入れることができないだけでなく、指の厚みよりも指を入れる上下方向の空間が小さいことから、指を表裏両面から少し圧迫することになり、フィット感の低いものになっていた。又、偏平な２枚の部材を縫い合わせて構成した指袋は、ボリューム感がないだけでなく、全ての指袋を大きな曲率半径でかつ緩やかに連結してグラブを構成することが難しいものであった。
【０００５】
本発明が前述の状況に鑑み、解決しようとするところは、指の表面に補強紐などの突出部が接触することを回避することで、指に馴染みやすく、しかも指の形状に合わせて湾曲し易いフィット感の良好な状態で装着することができる野球用グラブを提供する点にある。
【０００６】
【課題を解決するための手段】
本発明は、前述の課題解決のために、捕球面を構成する表面部材とこの表面部材の反対側に位置する背面部材とを備えた野球用グラブにおいて、前記背面部材を構成する複数の指袋のうちの少なくとも１つの指袋を、指の背面に接触可能な内側部分と、この内側部分の指袋の併設方向両側に縫着されて連結されると共に指の左右両側面に接触可能な両側部分とから、野球用グラブを構成した。
上記のように内側部分とこの内側部分の指袋の併設方向両側（左右両側）に縫着される両側部分の２つの部品（部材）から野球用グラブを構成することによって、指の背面（爪側の面）には内側部分の裏面が接触することになり、従来のように指袋の左右中央に内部に突出する補強紐が接触することがない。しかも、指の形状に沿わせて（合わせて）指袋を容易に変形させて指の左右両側面（指の背面とこれと反対側の（腹側）表面との間に位置する左右２つの側面のこと）に指袋を構成する両側部分を沿わせた状態にすることができるだけでなく、ボリューム感を出すことができると共に、指袋の併設方向（左右方向）において全ての指袋を大きな曲率半径でかつ緩やかに連結することが可能になる。
【０００７】
前記両側部分が、指袋の先端を構成する本体部と、この本体部の左右両側から端部側ほど互いに離間するほぼハの字状に延びる左右の延出部とからなるほぼ偏平で二股状に構成されたものでなり、前記左右の延出部の遊端部同士を接近させることによりほぼ環状になった前記両側部分をそれの内周縁側ほど前記内側部分側に位置した湾曲形状に変形させて該内側部分に縫着している。
上記のように二股状に構成された両側部分を構成する左右の延出部の端部同士を接近させることによって、両側部分をそれの内周縁側ほど内側部分側に位置した湾曲形状に変形させることができ、この状態で両側部分と内側部分とを合わせて両者を縫着するだけで指袋を即座に縫製することができる。また、左右の延出部が互いになす角度を変更するだけで両側部分の湾曲度合いを変更することができる。
【０００８】
前記両側部分を、前記本体部の左右方向ほぼ中心部で２分割された２つの部材から構成することによって、請求項２のように本体部と両側部分とが一体となった形状のものを原料から裁断する場合に比べて、歩留まり（使用原料に対する製品の比率）を良くすることができる。
【０００９】
前記内側部分の前記両側部分と縫着する縁部を除いた中央部分に該縁部よりも上方に突出する突出部を備えさせ、前記内側部分の縁部を前記両側部分の裏面側に重ね合わせて縫着することによって、外部に露呈される突出部と両側部分とを段差のないほぼ面一状に連続する面を形成した指袋とすることができる。
【００１０】
前記両側部分と前記内側部分とを補強紐を介して縫着することにより両部分を連結することで、両者の連結強度を高めることができる。
【００１１】
前記指袋が、親指袋、人差し指袋、中指袋、薬指袋、小指袋からなり、少なくとも人差し指袋、中指袋、薬指袋を、前記内側部分と両側部分とから構成することが好ましい。
【００１２】
【発明の実施の形態】
図１及び図２に、野球用グラブが示されており、この野球用グラブは、捕球面を構成する１枚（複数枚で構成してもよい）でなる表面部材１と、この表面部材１の反対側に位置する背面部材２とからなっている。前記表面部材１及び背面部材２のそれぞれは、一般に天然皮革、合成皮革、これらとほぼ同質の素材から構成することが望ましいが、他の素材から構成することもできる。
【００１３】
前記背面部材２は、５つの指袋、つまり親指袋３、人差し指袋４、中指袋５、薬指袋６、小指袋７から構成されているが、必ずしも５つの指袋から構成しなくてもよいが、少なくとも２つ以上の指袋から構成することになる。前記人差し指袋４〜薬指袋６の各指袋は、同一構成であり、図１に示すように、指袋併設方向でほぼ中央に位置して指の背面（爪の表面）に接触可能な内側部分４Ａ又は５Ａ又は６Ａと、この内側部分の指先側と左右両側とに縫着されて連結されると共に指の左右両側面に接触する両側部分（指の背面とこれと反対側の表面との間に位置する左右横側部分のこと）４Ｂ又は５Ｂ又は６Ｂとから構成している。
前記小指袋７は、前記３つの指袋４，５，６の構成とは異なり、図１に示すように、指袋併設方向でほぼ中央に位置して指の背面（爪の表面）に接触可能な内側部分７Ａと、この内側部分７Ａの指袋併設方向両側に位置すると共に補強紐９を介して連結され、かつ、指の左右両側面に接触可能な２枚の両側部分７Ｃ，７Ｂとから構成されている。又、前記親指袋３は、図示していないが、前記小指袋７と同様に、指袋併設方向でほぼ中央に位置して指の背面（爪の表面）に接触可能な内側部分と、この内側部分の指袋併設方向両側に位置すると共に後述する補強紐を介して連結され、かつ、指の左右両側面に接触可能な２枚の両側部分とから構成されている。図１では、前記３つの指袋４，５，６を２枚の部材で構成すると共にそれら両部材を補強紐を用いないで連結する構成にすることによって、各指袋の長手方向の可撓性及び指袋併設方向における可撓性を優れたものにすることができる利点があるが、１つの任意の指袋のみ２枚の部材で構成することもできるし、又、２つ〜５つまでの任意の数の指袋を２枚の部材で構成することもできるが、内側に位置する３つの指袋４，５，６を少なくとも２枚の部材で構成することによって、可撓性の点において有利になる。
図８及び図９に、小指袋７を内側部分７Ａとそれの外周縁に位置する両側部分７Ｂの２枚の部材で構成し、親指袋３も同様に内側部分３Ａとそれの外周縁に位置する両側部分３Ｂの２枚の部材で構成することができ、全ての指袋を２枚の部材で構成することによって、各指袋の長手方向の可撓性及び指袋併設方向における可撓性をより一層優れたものにすることができる利点がある。又、各指袋の内面側を皮革などからなるシート部材（指袋よりも柔軟性のある材料で構成する場合が好ましい）により更に覆うことにより、指袋に挿入される指に対する指袋からの感触を更に良好なものにするようにしてもよい。
【００１４】
前述したように人差し指袋４〜薬指袋６までの各指袋は、いずれも同一構成であるため、薬指袋６のみについて説明すれば、薬指袋６の両側部分６Ｂは、図３（ａ），（ｂ）及び図４に示すように、薬指袋６の先端を構成する本体部６Ｃと、この本体部６Ｃの左右両側から端部側ほど互いに離間するほぼハの字状に延びる左右の延出部６Ｄ，６Ｅとからなるほぼ偏平で二股状に構成されたものでなり、前記左右の延出部６Ｄ，６Ｅの遊端部６Ｇ，６Ｆ同士を接近させることによりほぼ環状になった（又は遊端部６Ｆ，６Ｇ同士を重ね合わせて環状にしてもよい）前記両側部分６Ｄ，６Ｅをそれの内周縁側ほど内側部分６Ａ側（図では上方）に位置した湾曲形状（図３（ｂ）参照）に変形させ、両側部分６Ｄ，６Ｅの内周縁と前記内側部分６Ａの外周縁とを図３（ａ）で破線で示す部分で縫着している。前記左右の延出部６Ｄ，６Ｅのなす角度θ１を変更することによって、湾曲する度合い（角度）を調節することができるようになっている。具体的には、前記角度を、図７（ａ），（ｂ）に示すように、図４（ａ），（ｂ）で示した角度θ１よりも小さな角度θ２（θ１＞θ２）に設定すると、図３（ｂ）のような緩やかな円弧を描くように湾曲するのではなく、図７（ｂ）のように直線に近い円弧を描くことになる。つまり、前記角度が大きくなるにつれて緩やかな大きな円弧を描くように湾曲することになるため、前記角度を大きくすればするほど指袋の内部空間Ｋを挿入される指Ｙの厚み方向（図では上下方向）に大きく形成することができ、指袋から圧迫感を更に受けることがないだけでなく、指が指袋の左右方向に大きく移動することがないように延出部６Ｄ，６Ｅの内面にて接当阻止することができるのである。要するに、延出部６Ｄ，６Ｅの外周縁間の距離（指袋の左右幅寸法）Ｌ１は、図７（ｂ）よりも図３（ｂ）の方が小さくなると共に、指袋の中央の一番突出している部分の内面（下面）から前記表面部材１（図示せず）の内面までの距離（指袋の上下高さ寸法）Ｌ２は、図７（ｂ）よりも図３（ｂ）の方が大きくなり、指を挿入し易く、保持し易い空間Ｋを確保することができるのである。また、前記のように水平方向で幅を有する状態で上下方向で重複する両側部分６Ｂの内周縁と内側部分６Ａの外周縁とを縫着する構成にすることによって、補強紐のように縫着面積の少ないものを介して縫着するものに比べて縫着作業が容易になる利点がある。
又、図示していないが、前記本体部６Ｃを左右方向ほぼ中心部で２分割して２つの延出部６Ｄ，６Ｅを先端同士で連結する構成にすることによって、図４で示したものに比べて材料の歩留まりを良くするようにしてもよい。このように３つの部材、つまり内側部分６Ａ、２つの延出部６Ｄ、６Ｅを前記小指袋７のようにしてもよい。つまり、内側部分６Ａの先端を長くして、この内側部分６Ａの左右両側に２つの延出部６Ｄ、６Ｅを縫着して連結するのである。
【００１５】
前記薬指袋６（人差し指袋４や中指袋５も同様であるため、薬指袋６のみ説明する）について詳述すれば、薬指袋６を構成する内側部分６Ａは、図３（ｂ）及び図４に示すように、２枚の材料（皮革などでなる）６ａ，６ｂを重ね合わせて（１枚の材料を２つに折り畳んでもよい）外縁を縫うことにより一端に開口が形成された袋体にし、この袋体６Ａの内部に該袋体６Ａの外形よりも小さな寸法のシート材８を開口を通して挿入した後、表裏両方の材料６ａ，６ｂのシート材８の入っていない外周縁同士を隙間のない状態で重ね合わせることによって、外周縁を密着させて、内側部分６Ａの中央部分に外周縁部６Ｈよりも上方に突出した突出部６Ｉを備えさせるようにしているが、材料自体が中央部分のみ突出する形状のもので構成してもよい。そして、前記突出部６Ｉを除いた外周縁部６Ｈの上面に前記両側部分６Ｂを構成する本体部６Ｃ及び内側部分６Ｄ，６Ｅの裏面が接触するように上方から重ね合わせて縫着する（図３（ａ）に破線にて示している部分が縫った部分である）ことによって、外部に露呈される突出部６Ｉの表面と両側部分６Ｂの表面とを段差のないほぼ面一状に連続する表面（上面）に形成することができるようにしているが、突出部６Ｉを省略したものであってもよい。前記のように水平方向である程度の幅を有する状態で上下方向で重ね合わせた内側部分６Ｄ，６Ｅと縁部６Ｈとを縫うことによって、図５（ａ），（ｂ）に示すように、幅の狭い補強紐９を介して内側部分６Ａと両側部分６Ｂとを縫う場合に比べて縫着作業がし易いといった利点がある。
【００１６】
また、前記薬指袋６（他の指袋も同様に）を、図５に示すように構成して実施してもよい。つまり、薬指袋６の両側部分６Ｂと前記内側部分６Ａとを補強紐９を介して縫着して両部分６Ｂ，６Ａを連結して、両部分６Ｂ，６Ａの連結強度を更に高めるようにしてもよい。尚、図５（ｂ）では、内側部分６Ａの外周縁６Ｇ及び両側部分６Ｂの内周縁６ｇを内側へ折り込むことにより補強紐９の一部のみが薬指袋６にて形成される空間Ｋ内に突出することがないようにしている。又、図５（ｂ）では挿入された指Ｙの左右の横側部上端に補強紐９，９が位置する状態になっているが、補強紐９，９の左右方向の間隔を更に大きくすることにより、指Ｙの左右の横側部上端に補強紐９，９が位置しないようにすることが好ましい。
【００１７】
また、前記薬指袋６（他の指袋も同様に）を、図６（ａ），（ｂ）に示すように構成して実施してもよい。つまり、薬指袋６の両側部分６Ｂの内周縁６Ｉに内側部分６Ａの外周縁６Ｈを上方から重ね合わせて、両部分６Ｂ，６Ａの重なり合った部分６Ｉ，６Ｈを縫い合わせて（図６（ａ）の破線にて示している）、薬指袋６を構成している。この場合も、前述同様に水平方向である程度の幅を有する状態で上下方向で重ね合わせた部分６Ｉと６Ｈとを縫うことによって、図５（ａ），（ｂ）に示すように、幅の狭い補強紐９を介して内側部分６Ａと両側部分６Ｂとを縫う場合に比べて縫着作業がし易いといった利点がある。図６（ａ），（ｂ）では、薬指袋６の両側部分６Ｂの内周縁６Ｉに内側部分６Ａの外周縁６Ｈを上方から重ね合わせたが、これとは反対に薬指袋６の内側部分６Ａに両側部分６Ｂの内周縁６Ｉを上方から重ね合わせて実施することもできる。
【００１８】
【発明の効果】
内側部分とこの内側部分の左右両側に縫着される両側部分の２つの部品（部材）から野球用グラブを構成することによって、指の背面（爪側の面）には内側部分の偏平又は緩やかな湾曲した裏面が接触することになり、従来のように指袋の左右中央に内部に突出する補強紐が直接接触する又は内張であるシート部材を介して間接的に接触することがないから、指に馴染みやすく、しかも、指の形状に合わせて指袋を容易に湾曲させて指の左右両側面に指袋を構成する両側部分を沿わせた状態にすることができ、挿入した指の形状にできるだけ合致させて指を包み込むことができる構成とすることでフィット感の良好な状態で装着することができる野球用グラブを提供することができる。しかも、両側部分を湾曲させることによって、指袋にボリューム感を出すことができ、意匠感を良好にすることができるだけでなく、指袋の併設方向（左右方向）において全ての指袋を大きな曲率半径でかつ緩やかに連結することでグラブ全体の形状を捕球に適した湾曲形状にすることが容易になり、購入後のグラブに癖付けする必要が無くなるなどの利点もある。
【００１９】
二股状に構成された両側部分を構成する左右の延出部の遊端部同士を接近させることによって、両側部分をそれの内周縁側ほど内側部分側（上方）に位置した湾曲形状に変形させることができ、この状態で両側部分と内側部分とを合わせて両者を縫着するだけで指袋を即座に縫製することができる製造面において有利になる。また、左右の延出部がなす角度を変更するだけで両側部分の湾曲度合いを変更することができ、いろんな種類の野球用グラブを容易に設計することが可能になり、設計の自由度を高めることができる。
【００２０】
両側部分を、本体部の左右方向ほぼ中心部で２分割された２つの部材から構成することによって、請求項２のように本体部と両側部分とが一体となった形状のものを原料から裁断する場合に比べて、歩留まり（使用原料に対する製品の比率）を良くすることができ、製造コスト面において有利になる。
【００２１】
内側部分の縁部のうち、両側部分と縫着する縁部を除いた中央部分に該縁部よりも上方に突出した突出部を備えさせ、内側部分の縁部を両側部分の裏面側に重ね合わせて縫着することによって、外部に露呈される突出部と両側部分とを段差のないほぼ面一状に連続する面を形成することができ、突出した部分のみが摺れてその部分が早期に傷むことがないだけでなく、意匠的にも優れた野球用グラブを提供することができる。
【００２２】
両側部分と内側部分とを補強紐を介して縫着して両部分を連結することによって、連結強度を更に高めることができ、特に連結強度を必要とする指袋において有効である。
【図面の簡単な説明】
【図１】背面部材側から見た野球用グラブの背面図である。
【図２】捕球面側から見た野球用グラブの正面図である。
【図３】人差し指袋を示し、（ａ）はそれの側面図であり、（ｂ）は（ａ）の長手方向ほぼ中央部で切断したときの縦断面図である。
【図４】人差し指袋の分解斜視図である。
【図５】別の小指袋を示し、（ａ）はそれの側面図であり、（ｂ）は（ａ）の長手方向ほぼ中央部で切断したときの縦断面図である。
【図６】別の小指袋を示し、（ａ）はそれの側面図であり、（ｂ）は（ａ）の長手方向ほぼ中央部で切断したときの縦断面図である。
【図７】別の人差し指袋を示し、（ａ）はそれの分解斜視図であり、（ｂ）は（ａ）を一体化して人差し指袋を構成し、それを長手方向ほぼ中央部で切断したときの縦断面図である。
【図８】背面部材側から見た別の野球用グラブの背面図である。
【図９】親指袋の具体的構成を示す拡大図である。
【符号の説明】
１  表面部材          ２  背面部材
３  親指袋            ４  人差し指袋
５  中指袋            ６  薬指袋
４Ａ，５Ａ，６Ａ，７Ａ  内側部分
４Ｂ，５Ｂ，６Ｂ，７Ｂ，７Ｃ  両側部分
６Ｄ，６Ｅ  延出部    ６Ｈ  縁部
６Ｉ  突出部          ６Ｃ  本体部
６ａ，６ｂ  材料      ６Ｆ，６Ｇ  遊端部
６Ｇ  外周縁          ６Ｉ  外周縁
６ｇ  内周縁          ６Ｈ  内周縁
７  小指袋            ８  シート材
９  補強紐            Ｋ  内部空間
Ｙ  指                θ１  角度
θ２  角度
【図１】
2004236731.tif 000003
【図２】
2004236731.tif 000004
【図３】
2004236731.tif 000005
【図４】
2004236731.tif 000006
【図５】
2004236731.tif 000007
【図６】
2004236731.tif 000008
【図７】
2004236731.tif 000009
【図８】
2004236731.tif 000010
【図９】
2004236731.tif 000011